(57)【特許請求の範囲】
【請求項１】
業務を依頼すべくエキスパートを探しているユーザーに対してエキスパートの情報を提供してエキスパートを紹介するエキスパート紹介システムであって、
ユーザーによって操作されるユーザー端末と、各エキスパートによって操作されるエキスパート端末とに対してネットワークを介して接続されているサーバと、
サーバによって情報が記憶され、情報が読み出される記憶部と、
ユーザーが探しているエキスパートの種別において業務を行うのに適したエキスパートの条件に関する知識を有する仲介者によって操作され、記憶部に記憶された各ファイルについて読み出し及び記録が可能な仲介者端末と
を備えており、
記憶部には、
各エキスパートの氏名、業務場所を含む定型情報を記録したエキスパート定型情報ファイルと、
ユーザーによる紹介依頼の情報を記録した紹介依頼情報ファイルと、
質問情報ファイルと、
回答情報ファイルと
が記憶されており、
サーバは、紹介依頼ページをユーザー端末に表示させることが可能であって、紹介依頼ページは、依頼したい業務の内容である要望業務情報を入力させてユーザー特定情報とともに紹介依頼情報としてサーバに送信させることが可能な画面であり、
サーバには、紹介依頼情報登録プログラムと、質問入力要請プログラムと、質問記録プログラムと、回答記録プログラムと、参照ページ送信プログラムとが実装されており、
紹介依頼情報登録プログラムは、紹介依頼情報がユーザー端末から送信された際、当該紹介依頼情報を紹介依頼情報ファイルに記録するプログラムであり、
質問記録プログラムは、紹介依頼情報がユーザー端末から送信された後、当該紹介依頼情報に含まれる要望業務情報に応じて設定される質問である要望対応質問が仲介者端末で入力されて仲介者端末から送信された際、当該要望対応質問を質問情報ファイルに記録するプログラムであり、
要望対応質問は、当該要望業務の遂行可能性を評価するための質問である可能性評価質問を含んでおり、
回答記録プログラムは、要望対応質問に対する回答がエキスパート端末において入力されてエキスパート端末から送信された際、当該回答を回答情報ファイルに記録するプログラムであり、
参照ページ送信プログラムは、紹介依頼情報に含まれる要望業務情報に対応して設定された要望対応質問を質問情報ファイルから読み出すとともに当該要望対応質問に対する回答を回答情報ファイルから読み出し、要望対応質問に回答を対応させた状態で参照ページに組み込み、当該紹介依頼情報を送信したユーザーのユーザー端末に送信して表示させるプログラムであり、
要望対応質問をエキスパート端末に表示させるとともに要望対応質問に対する回答をエキスパート端末において入力させてサーバに送信させる回答ページをエキスパート端末に送信する回答ページ送信プログラムがサーバに実装されており、
回答記録プログラムは、要望対応質問を含む回答ページがエキスパート端末に表示された際にタイマーをスタートさせ、タイマーのカウントが設定された制限時間内である時に回答がサーバに送信された場合に限り回答を回答情報ファイルに記録するプログラムであり、
制限時間は、エキスパートの知識及び能力を客観的に評価すべく設定された時間であることを特徴とするエキスパート紹介システム。
【請求項２】
前記要望対応質問は、前記要望業務を行うエキスパート種別におけるエキスパートの性向を評価するための質問として仲介者が設定した性向評価質問を含んでいることを特徴とする請求項１記載のエキスパート紹介システム。
【請求項３】
前記質問記録プログラムは、前記性向評価質問が前記ユーザー端末において入力されて前記ユーザー端末から送信された際、当該性向評価質問を前記質問情報ファイルに記録するプログラムであり、
前記参照ページ送信プログラムにより参照ページに組み込まれる回答には、前記ユーザー端末から送信された性向評価質問とそれに対するエキスパートの回答が含まれることを特徴とする請求項２記載のエキスパート紹介システム。
【請求項４】
前記サーバには、前記性向評価質問を入力するページを前記ユーザー端末に送信して表示させるプログラムが実装されており、このページは、複数のひな形の性向評価質問を含んでおり、前記性向評価質問はひな形から選択されて前記サーバに送信されることが可能となっていることを特徴とする請求項３記載のエキスパート紹介システム。
【請求項５】
前記参照ページ送信プログラムは、一つの紹介依頼について入力されて要望対応情報ファイルに記録された要望対応質問について二人以上のエキスパートから回答があって回答情報ファイルに記録されている場合に限り、前記参照ページを送信するプログラムであることを特徴とする請求項１乃至４いずれかに記載のエキスパート紹介システム。
【請求項６】
前記エキスパート定型情報ファイルは、異なる複数のエキスパート種別のエキスパートの定型情報を記録したファイルであるか又はエキスパート種別毎に設けられたファイルであり、
前記紹介依頼ページは、エキスパート種別を入力する種別入力欄を含んでおり、
前記依頼情報登録プログラムは、紹介依頼ページで入力されたエキスパート種別を紹介依頼情報ファイルに記録するプログラムであり、
サーバには、紹介依頼情報に対応して前記要望対応質問にファイルに記録された要望対応質問を、当該紹介依頼を行った際に入力されたエキスパート種別のエキスパートが操作するエキスパート端末に送信して回答を要請する回答要請プログラムが実装されていることを特徴とする請求項１乃至５いずれかに記載のエキスパート紹介システム。
【発明の詳細な説明】
【技術分野】
【０００１】
この出願の発明は、エキスパートをユーザーに紹介するエキスパート紹介システムに関するものである。
【背景技術】
【０００２】
社会の高度化、専門分化を背景として、各種エキスパートの活動が益々重要になってきている。中でも、弁護士や医師、公認会計士といった国家資格者は、知識や能力が国家によって保証されているエキスパートであり、社会的な信頼度は極めて高い。また、国家資格ではなくとも、様々な民間資格が存在しており、それぞれの資格に応じた知識や技能を保持したエキスパートが、専門サービスを日々提供している。
【先行技術文献】
【特許文献】
【０００３】
【特許文献１】特開２００５−２５０８４４１号公報
【特許文献２】特開２０１３−９７４９３号公報
【発明の概要】
【発明が解決しようとする課題】
【０００４】
このような各種エキスパートによるサービスは、企業活動のみならず一般家庭においてもしばしば必要とされる。その一方、企業や家庭にとって最適なエキスパートを見つけ出すことは、容易ではない。例えば、特定のエキスパートが必要になった場合、知人や友人に紹介を頼む（そのようなエキスパートの知り合いがいるかどうか尋ねる）ことがしばしば行われる。しかしながら、知人や友人にそのようなエキスパートの知り合いがいない場合も多く、いたとしてもこちらが望んだタイプではない場合も多い。結局は、自ら調べてエキスパートを探すことになる。
エキスパートを自分で探す場合、インターネット等の広告媒体に頼らざるを得ない。多くの場合、インターネット上の検索サイトで検索し、ヒットしたエキスパートのウェブサイトを閲覧して比較し、最適と思われるエキスパートにアクセス（電話、メール等）をすることになろう。
【０００５】
種々のエキスパートが自身のウェブサイトを開設してはいるものの、そこに掲載されている情報は、エキスパートの種類に応じた典型的な、決まり切った情報ばかりである場合が多く、サイトを見ただけでは、自分が頼もうとしている業務を遂行可能なのか、自分にとって適切なエキスパートなのかは、判断できない場合が多い。例えば、弁護士が開設している法律事務所のウェブサイトは、殆どの場合、弁護士紹介、専門分野、料金表等の決まり切った情報が掲載されているだけである。このため、どの程度の能力を有しているのか、人間的にはどのようなタイプの弁護士であるのかといった点は、サイトの情報からは判らないのが殆どである。この場合、結局は、漠然とした印象等、特に根拠もなく決めてしまうことになる。そして、実際に業務を依頼した後、期待していた知識や能力がなかったり、自分とは性格的に合わないタイプだったりして後悔することになるのである。
【０００６】
ある種のエキスパートについては、ユーザーとエキスパートとのマッチングをするサイトやユーザーにエキスパートを紹介するサイトがインターネット上に存在している。また、この種の技術を開示した特許出願もされている（特許文献１、特許文献２）。しかしながら、これらのサイトや技術も、エキスパートの種類に応じて予め情報を登録し、ユーザー側の要望に従って登録情報を検索してエキスパートの情報を抽出するという程度のものであり、登録情報自体は各エキスパートが自身のサイトにおいて掲載しているものと大差はない。したがって、登録情報に基づいてエキスパートをサイト上で抽出したとしても、自分で各エキスパートのサイトを見比べて選んだとの特に変わりはなく、多少手間が省ける程度である。
【０００７】
この出願の発明は、上記のようなエキスパート選定における昨今の状況に鑑みて為されたものであって、依頼しようとしている業務をエキスパートが遂行できるかどうかをユーザーが具体的に見極めたり、エキスパートの性格や傾向等の点も含めて自身にとって最適かどうかユーザーが判断したりした上で選ぶことができるエキスパート紹介システムを提供することをその目的とするものである。
【課題を解決するための手段】
【０００８】
上記課題を解決するため、本願の請求項１記載の発明は、業務を依頼すべくエキスパートを探しているユーザーに対してエキスパートの情報を提供してエキスパートを紹介するエキスパート紹介システムであって、
ユーザーによって操作されるユーザー端末と、各エキスパートによって操作されるエキスパート端末とに対してネットワークを介して接続されているサーバと、
サーバによって情報が記憶され、情報が読み出される記憶部と、
ユーザーが探しているエキスパートの種別において業務を行うのに適したエキスパートの条件に関する知識を有する仲介者によって操作され、記憶部に記憶された各ファイルについて読み出し及び記録が可能な仲介者端末と
を備えており、
記憶部には、
各エキスパートの氏名、業務場所を含む定型情報を記録したエキスパート定型情報ファイルと、
ユーザーによる紹介依頼の情報を記録した紹介依頼情報ファイルと、
質問情報ファイルと、
回答情報ファイルと
が記憶されており、
サーバは、紹介依頼ページをユーザー端末に表示させることが可能であって、紹介依頼ページは、依頼したい業務の内容である要望業務情報を入力させてユーザー特定情報とともに紹介依頼情報としてサーバに送信させることが可能な画面であり、
サーバには、紹介依頼情報登録プログラムと、質問入力要請プログラムと、質問記録プログラムと、回答記録プログラムと、参照ページ送信プログラムとが実装されており、
紹介依頼情報登録プログラムは、紹介依頼情報がユーザー端末から送信された際、当該紹介依頼情報を紹介依頼情報ファイルに記録するプログラムであり、
質問記録プログラムは、紹介依頼情報がユーザー端末から送信された後、当該紹介依頼情報に含まれる要望業務情報に応じて設定される質問である要望対応質問が仲介者端末で入力されて仲介者端末から送信された際、当該要望対応質問を質問情報ファイルに記録するプログラムであり、
要望対応質問は、当該要望業務の遂行可能性を評価するための質問である可能性評価質問を含んでおり、
回答記録プログラムは、要望対応質問に対する回答がエキスパート端末において入力されてエキスパート端末から送信された際、当該回答を回答情報ファイルに記録するプログラムであり、
参照ページ送信プログラムは、紹介依頼情報に含まれる要望業務情報に対応して設定された要望対応質問を質問情報ファイルから読み出すとともに当該要望対応質問に対する回答を回答情報ファイルから読み出し、要望対応質問に回答を対応させた状態で参照ページに組み込み、当該紹介依頼情報を送信したユーザーのユーザー端末に送信して表示させるプログラムであり、
要望対応質問をエキスパート端末に表示させるとともに要望対応質問に対する回答をエキスパート端末において入力させてサーバに送信させる回答ページをエキスパート端末に送信する回答ページ送信プログラムがサーバに実装されており、
回答記録プログラムは、要望対応質問を含む回答ページがエキスパート端末に表示された際にタイマーをスタートさせ、タイマーのカウントが設定された制限時間内である時に回答がサーバに送信された場合に限り回答を回答情報ファイルに記録するプログラムであり、
制限時間は、エキスパートの知識及び能力を客観的に評価すべく設定された時間であるという構成を有する。
また、上記課題を解決するため、請求項２記載の発明は、前記請求項１の構成において、前記要望対応質問は、前記要望業務を行うエキスパート種別におけるエキスパートの性向を評価するための質問として仲介者が設定した性向評価質問を含んでいるという構成を有する。
また、上記課題を解決するため、請求項３記載の発明は、前記請求項２の構成において、
前記質問記録プログラムは、前記性向評価質問が前記ユーザー端末において入力されて前記ユーザー端末から送信された際、当該性向評価質問を前記質問情報ファイルに記録するプログラムであり、
前記参照ページ送信プログラムにより参照ページに組み込まれる回答には、前記ユーザー端末から送信された性向評価質問とそれに対するエキスパートの回答が含まれるという構成を有する。
また、上記課題を解決するため、請求項４記載の発明は、前記請求項３の構成において、前記サーバには、前記性向評価質問を入力するページを前記ユーザー端末に送信して表示させるプログラムが実装されており、このページは、複数のひな形の性向評価質問を含んでおり、前記性向評価質問はひな形から選択されて前記サーバに送信されることが可能となっているという構成を有する。
また、上記課題を解決するため、請求項５記載の発明は、前記請求項１乃至４いずれかの構成において、前記参照ページ送信プログラムは、一つの紹介依頼について入力されて要望対応情報ファイルに記録された要望対応質問について二人以上のエキスパートから回答があって回答情報ファイルに記録されている場合に限り、前記参照ページを送信するプログラムであるという構成を有する。
また、上記課題を解決するため、請求項６記載の発明は、前記請求項１乃至５いずれかの構成において、前記エキスパート定型情報ファイルは、異なる複数のエキスパート種別のエキスパートの定型情報を記録したファイルであるか又はエキスパート種別毎に設けられたファイルであり、
前記紹介依頼ページは、エキスパート種別を入力する種別入力欄を含んでおり、
前記依頼情報登録プログラムは、紹介依頼ページで入力されたエキスパート種別を紹介依頼情報ファイルに記録するプログラムであり、
サーバには、紹介依頼情報に対応して前記要望対応質問にファイルに記録された要望対応質問を、当該紹介依頼を行った際に入力されたエキスパート種別のエキスパートが操作するエキスパート端末に送信して回答を要請する回答要請プログラムが実装されているという構成を有する。
【発明の効果】
【０００９】
以下に説明する通り、本願の請求項１記載の発明によれば、仲介者が要望対応質問を設定してその回答とともに候補の各エキスパートの情報がユーザーにおいて参照される。このため、より適切にエキスパートの選定を行うことができる。この際、要望対応質問に可能性評価質問が含まれるので、これに対する回答を参照することでユーザーにおいて業務遂行可能性を判断することができる。また、制限時間内に送信された場合にのみ回答が記録されて参照情報に含められるので、要望対応業務の遂行可能性についてより客観的に評価することができるようになる。
また、請求項２記載の発明によれば、上記効果に加え、要望対応質問に性向評価質問が含まれるので、これに対する回答を参照することでユーザーにおいて各エキスパートの性向を判断することができる。これらにより、さらに適切にエキスパートの選定が行える。
また、請求項３記載の発明によれば、上記効果に加え、ユーザーが性向評価質問を設定して各エキスパートに回答させることができるので、その回答を参照しながらエキスパートの選定が行える。このため、性格や傾向の点で自らにより適したエキスパートを選定することができるようになる。
また、請求項４記載の発明によれば、上記効果に加え、ユーザーが性向評価質問を設定する際にひな形から選ぶことができるので、性向評価質問の設定が容易で、この点で使い易いシステムとなる。
また、請求項５記載の発明によれば、要望対応質問に対して二人以上のエキスパートから回答がされている場合に限りユーザー端末において参照情報が表示されるので、最終的に選定されたエキスパートに対して課金がされる場合にも、ユーザーにおいて特に不公平な印象が生じることはない。
また、請求項６記載の発明によれば、上記効果に加え、異なる複数の種別のエキスパートの紹介が可能なシステムであり、ユーザーの要望する種別のエキスパートの参照情報が提供されるので、より汎用性の高いシステムとなる。
【図面の簡単な説明】
【００１０】
【図１】実施形態のエキスパート紹介システムを使用したエキスパート紹介サービスについて示した概略図である。
【図２】実施形態のエキスパート紹介システムの概略図である。
【図３】紹介サイトのトップページの一例を示した概略図である。
【図４】紹介依頼ページの一例を示した概略図である。
【図５】紹介依頼情報登録プログラム１０１の概略を示したフローチャートである。
【図６】紹介依頼情報ファイル１１の構造の一例を示した図である。
【図７】質問情報ファイル１３の構造の一例を示した図である。
【図８】エキスパート登録ページの一例を示した概略図である。
【図９】エキスパート定型情報ファイル１２の構造の一例を示した概略図である。
【図１０】質問入力要請プログラム１０５により送信される仲介者端末２に送信される電子メールの一例を示した概略図である。
【図１１】質問入力ページの一例について示した概略図である。
【図１２】回答ページ作成プログラム１０６により作成された回答ページの一例を示した概略図である。
【図１３】回答情報ファイル１４の構造の一例を示した概略図である。
【図１４】回答要請メールの一例を示した概略図である。
【図１５】告知プログラム１０９の概略を示したフローチャートである。
【図１６】参照情報ページの一例について示した概略図である。
【発明を実施するための形態】
【００１１】
次に、この出願発明を実施するための形態（以下、実施形態）について説明する。
まず、実施形態のエキスパート紹介システムの概要を理解するため、実施形態のエキスパート紹介システムによって提供されるエキスパート紹介サービスについて図１を参照して説明する。図１は、実施形態のエキスパート紹介システムを使用したエキスパート紹介サービスについて示した概略図である。
実施形態のエキスパート紹介システムは、エキスパート紹介用のウェブサイト（以下、紹介サイトと略称）を提供するサーバ１と、仲介者によって操作される仲介者端末２とによって構成される。仲介者は、ユーザーが依頼しようとしている業務を行うのに適したエキスパートの条件に関する知識を有する者であり、紹介しようとするエキスパートと同種のエキスパートである場合が多い。
【００１２】
サーバ１は、インターネットのようなネットワークを介してユーザー端末３及びエキスパート端末４に接続されている。ユーザー端末３は、業務を依頼すべくエキスパートを探しているユーザーが操作する端末である。エキスパート端末４は、このシステム経由で紹介されることを望む各エキスパートが操作する端末である。
このシステムは、ユーザーにとって適切と思われる複数のエキスパートを紹介するものであり、最終的にはユーザー自身がその中から一人（又は複数でも良い）を選定するようになっている。その最終的な選定のために、ユーザーにとって有益な情報をシステムが提供するようになっている。
【００１３】
図１に示すように、このシステムでは、まずユーザーが紹介依頼情報をサーバ１に送信して紹介を依頼する。紹介依頼情報には、依頼したい業務の内容についての情報（以下、要望業務情報）が含まれる。
サーバ１は、送信された紹介依頼情報を紹介依頼情報ファイル１１に記録する。サーバ１の記憶部１０には、各エキスパートの定型情報（氏名、業務場所等）を記録したエキスパート定型情報ファイル１２が記憶されている。一方、仲介者は、仲介者端末２を操作して紹介依頼情報ファイル１１から紹介依頼情報を読み出し、要望業務を検討して要望対応質問を設定する。要望対応質問は、ユーザーによる最終的なエキスパートの選定の際の参照情報となる回答をエキスパート候補者から得るためのものであり、記憶部１０上の質問情報ファイル１３に記録される。要望対応質問には、要望業務の遂行可能性を評価するための質問やエキスパートの性向を評価するための質問が含まれる。
【００１４】
システムは、エキスパート候補者が操作するエキスパート端末４に要望対応質問を送信する。そして、所定の回答収集期間内に返信された回答を、回答情報ファイル１４に記録する。
ユーザーは、システムからの告知に応じてサーバ１にアクセスし、自身が送信した紹介依頼情報についての参照情報を受信する。参照情報には、複数のエキスパートの定型情報と、仲介者によって設定された要望対応質問及びその回答とが含まれる。ユーザーは、参照情報を参考にしながら最終的に自分でエキスパートを選定する。
【００１５】
以下、このようなサービスを提供する実施形態のエキスパート紹介システムについて具体的に説明する。図２は、実施形態のエキスパート紹介システムの概略図である。
図２に示すように、エキスパート紹介システムは、サーバ１と、記憶部１０と、仲介者端末２と、管理用端末５によって構成されている。サーバ１は、インターネット６を介してユーザー端末３と各エキスパート端末４とに接続されている。この例では、管理用端末５は、このシステムを運営してサービスを提供する事業主体（以下、サービス事業者）の担当者が操作する端末である。  
【００１６】
管理用端末５はイントラネット１００を介してサーバ１に接続されているが、サーバ１がサービス事業者とは別のホスティング業者によって運営されているような場合、管理用端末５がインターネット６を介してサーバ１に接続される場合もある。また、仲介者端末２は、この例ではインターネット６を介してサーバ１に接続されているが、仲介者がサービス事業者の内部の者である場合もあり、この場合は仲介者端末２がイントラネット１００を介してサーバ１に接続されることもある。
【００１７】
サービス事業者は、インターネット６上で紹介サイトを運営している。サーバ１は、紹介サイトを提供するものであるため、ウェブサーバソフトウェアが実装されている。記憶部１０には、以下に説明する各ページをユーザー端末３等に表示するためのＨＴＭＬファイルが記憶されており、サーバ１には各ファイルに対する情報の記録や各ファイルからの情報の読み取りを行う各プログラムが実装されている。
【００１８】
図３は、紹介サイトのトップページの一例を示した概略図である。紹介サイトは、会社用のサイトとなっており、会社の業務に必要な各種エキスパートを紹介するためのサイトとなっている（サイト名は「会社の執事」）。紹介サイトは、“エキスパート”、“専門家”、“探す”、“業務”、“依頼”、“紹介”といったキーワードでヒットするよう、検索エンジンへのＵＲＬの登録がされている。
図３に示すように、トップページには、このサイトが各種エキスパートを紹介するサイトであることを説明したテキストに加え、「エキスパートの紹介依頼をする」と表記されたコマンドボタン（以下、紹介依頼ボタン）７１が設けられている。紹介依頼ボタン７１には、紹介依頼ページがリンクしている。
【００１９】
図４は、紹介依頼ページの一例を示した概略図である。図４に示すように、紹介依頼ページには、エキスパート種別を入力する欄（以下、要望種別入力欄）７２、要望業務情報を入力する欄（要望業務入力欄）７３等が設けられている。
エキスパート種別というのは、端的には何のエキスパートかということである。弁護士や医師といった資格業者は、資格の名称が種別ということになる。ある程度認知されている民間資格の名称である場合、それが使用されることもある。例えば、結婚式場を探したり、結婚式をコーディネートしたり、さらに結婚に関する相談を受けるエキスパートとしてブライダルプランナー（又はウェディングプランナー）と呼ばれる資格が存在するが、このような名称もエキスパート種別として採用され得る。一般的に認知された資格名称といえるものがない場合、専門分野や専門業務の名称をエキスパート種別として使用することになる。
【００２０】
図４の例では、要望種別入力欄７２は、プルダウンリストとなっている。プルダウンすると、選択（入力）可能なエキスパート種別の名称がリスト表示され、そこから一つを選択するようになっている。
要望業務入力欄７３は、テキストボックスとなっており、要望業務情報をテキストで入力する欄である。
また、紹介依頼ページには、予算入力欄７４が設けられている。予算入力欄７４は、上限と下限を数値（円）で入力する欄である。但し、上限のみとしたり、範囲ではなく一つの金額のみを入力する欄とされたりする場合もある。
さらに、紹介依頼ページには、ユーザー（紹介を依頼する者）を特定するためのユーザー特定情報を入力する欄（ユーザー情報入力欄）７５が設けられている。ユーザー情報入力欄としては、この例では、会社名、担当者名、電話番号、電子メールアドレス等を入力するようになっている。
尚、紹介依頼ページにおいて、予算に関する情報は要望業務入力欄７３において併せてテキストで入力される場合もある。従って、予算入力欄７４は、必須の入力欄ではない。
【００２１】
図４に示すように、紹介依頼ページには、入力内容確認と表示されたボタンが設けられており、このボタンがクリック又はタップ（以下、クリックと総称する）されると、入力内容確認ページが表示されるようになっている。入力内容確認ページには、送信ボタンが設けられており、送信ボタンは、サーバ上に設けられた紹介依頼情報登録プログラム１０１の起動ボタンとなっている。
図５は、紹介依頼情報登録プログラム１０１の概略を示したフローチャートである。図５に示すように、紹介依頼情報登録プログラム１０１は、起動すると、紹介依頼ＩＤを自動生成し、送信された紹介依頼情報を紹介依頼ＩＤとともに紹介依頼情報ファイル１１に記録するようプログラミングされている。図６は、紹介依頼情報ファイル１１の構造の一例を示した図である。
【００２２】
図６に示すように、紹介依頼情報ファイル１１は、「紹介依頼ＩＤ」、「依頼日時」、「依頼会社名」、「担当者名」、「電話番号」、「電子メールアドレス」、「種別ＩＤ」、「要望業務」、「予算１」、「予算２」、「回答要請日時」等のフィールドから成るレコードを多数記録したデータベースファイルである。
「依頼日時」のフィールドは、紹介依頼情報登録プログラム１０１の起動日時が記録される。「依頼会社名」等は、ユーザー情報入力欄７５で入力された情報が記録される。この実施形態では、各エキスパート種別にはそれぞれＩＤ（以下、エキスパート種別ＩＤ）が与えられており、各エキスパート種別ＩＤは、紹介依頼ページの種別入力欄７２のプルダウンリストの各項目に対応している。「種別ＩＤ」のフィールドには、プルダウンリストで選択されたエキスパート種別に対応するエキスパート種別ＩＤが記録される。
尚、「予算１」は、紹介依頼ページの予算入力欄７４における予算の上限、「予算２」は予算の下限が記録されるフィールドである。予算が一つのみの金額で特定された場合、「予算１」に記録される。
【００２３】
図５に示すように、紹介依頼情報登録プログラム１０１は、紹介依頼情報ファイル１１への新レコードの記録の後、質問情報ファイル１３を新規に作成する。図７は、質問情報ファイル１３の構造の一例を示した図である。
質問情報ファイル１３は、一つの紹介依頼（紹介依頼情報ファイル１１の一つのレコード）に対応して一つ作成されるデータベースファイルである。図７に示すように、質問情報ファイル１３のファイル名は、紹介依頼ＩＤを利用した所定のファイル名とされる。例えば、紹介依頼ＩＤがIR20150001というＩＤであれば、質問情報ファイル１３のファイル名は、IR2015001Q.dbf（末尾にQを付加し、識別子を.dbfとしたファイル名）とされる。
【００２４】
図７に示すように、質問情報ファイル１３は、「質問ＩＤ」、「質問テキスト」、「質問種別」、「回答型」のフィールドから成るレコードの要望質問の数だけ記録したファイルである。から、「質問ＩＤ」は、各質問を特定する情報であり、例えば、IR201001Q1、IR201001Q2、IR201001Q3、・・・というように、識別子を省いたファイル名に数字を連番で付加した情報とされる。
「質問テキスト」は、質問内容を記録したテキスト形式のフィールドである。「回答型」は、質問に対する回答のデータ型を特定する情報が記録されるフィールドである。
【００２５】
一方、図３に示すように、トップページには、「エキスパートの方のページ」と表記されたコマンドボタン（以下、エキスパートページボタン）７６が設けられている。エキスパートページボタン７６には、エキスパート用のページにリンクしており、ここに設けられたエキスパート情報登録用のボタンにエキスパート登録ページがリンクしている。エキスパート登録ページは、エキスパートが自らの情報を登録して紹介され得るようにするためのページである。図８は、エキスパート登録ページの一例を示した概略図である。
【００２６】
図８に示すように、エキスパート登録ページは、種別入力欄、所属先入力欄、業務場所入力欄、受注可能業務入力欄、電話番号入力欄、電子メールアドレス入力欄等が設けられている。要望種別入力欄は、紹介依頼ページと同様にプルダウンリストとなっており、リストに含まれる任意のエキスパート種別を選択する欄となっている。所属先入力欄は、任意の入力欄であり、エキスパートが何らかの組織（会社、個人事務所等）に所属している場合、その名称をテキストで入力する欄である。業務場所入力欄は、エキスパートが通常業務を行っている場所である。士業の場合、所属する事務所の所在地ということになる。特に決まった場所で業務を行うというエキスパートではなく、顧客の所に出かけていって専門サービスを提供するような種別の場合、連絡先の住所（例えば自宅住所）が業務場所入力欄とされる。
エキスパート登録ページには、「入力内容確認」と表記されたボタンが設けられており、このボタンには、入力内容確認ページがリンクしている。入力内容確認ページには送信ボタンが設けられており、送信ボタンには、サーバに実装されているエキスパート登録プログラム１０２の起動コマンドが埋め込まれている。
【００２７】
図２に示すように、記憶部１０にはエキスパート定型情報ファイル１２が記憶されている。図９は、エキスパート定型情報ファイル１２の構造の一例を示した概略図である。エキスパート定型情報ファイル１２は、各エキスパートの定型的な情報を記録したファイルである。図９に示すように、この例のエキスパート定型情報ファイル１２は、「エキスパートＩＤ」、「種別ＩＤ」、「氏名」、「所属先名称」、「業務場所」、「可能業務」等のエキスパート登録ページでの入力項目に対応した各フィールドから成るレコードを多数記録したデータベースファイルとなっている。エキスパート登録プログラム１０２は、エキスパート定型情報ファイル１２に新レコードを追加し、送信された各項目の情報を各フィールドに記録してファイルを更新するようプログラミングされている。尚、「エキスパートＩＤ」は、登録される各エキスパートを識別するために付与されるＩＤであり、エキスパート登録プログラム１０２が自動生成してこのフィールドに記録する。
【００２８】
次に、仲介者端末２について説明する。
仲介者は、前述したように、ユーザーが探しているエキスパートの種別において業務を行うのに適したエキスパートの条件に関する知識を有する者である。このサイトは、要望に応じて種々のエキスパートを紹介できるようにしたサイトであるため、仲介者も異なる種別の者が複数存在している。このため、仲介者の情報を記録したファイル（以下、仲介者情報ファイル）１５が設けられている。仲介者情報ファイル１５については図示は省略するが、「仲介者ＩＤ」、「仲介者氏名」、「担当種別」、「電子メールアドレス」等のフィールドから成るレコードが多数記録されたデータベースファイルである。尚、この実施形態では、仲介者は一つのエキスパート種別に対して一人と決められており、従って、仲介者情報ファイル１５のレコード数は、システムが扱っているエキスパート種別の数（紹介依頼ベージやエキスパート登録ページの種別入力欄のプルダウンリストで表示されるエキスパート種別の数）に一致している。
仲介者は、サービス事業者が予め仲介者に対し仲介を依頼し、了承を得た上で情報を登録する。管理用端末５には、記憶部１０内の各ファイルに対する特別のアクセス権が与えられており、サービス事業者の担当者は、管理用端末５を操作して仲介者情報ファイル１５を開き、仲介者から入手した情報を仲介者情報ファイル１５に記録する。
【００２９】
このようなエキスパート登録システムの大きな特徴点は、紹介依頼をしてきたユーザーに対して、エキスパート選定の参照情報を提供するものとなっており、参照情報は、複数のエキスパートについての情報であって、ユーザーの要望に対応して設定された質問（以下、要望対応質問）とその要望対応質問に対する回答とを含んでいる点である。以下、これらの点について詳説する。
図２に示すサーバ１には、質問記録プログラム１０３と、回答記録プログラム１０４が実装されている。質問記録プログラム１０３は、仲介者端末２において入力された要望対応質問を質問情報ファイル１３に記録するプログラムである。回答記録プログラム１０４は、要望対応質問に対する回答を当該要望対応質問に対応させて回答情報ファイル１４に記録するプログラムである。
【００３０】
まず、要望対応質問について説明する。
この実施形態では、要望対応質問として、二種類の質問が設定される。一つは、要望業務の遂行可能性を評価するための質問である（以下、可能性評価質問）。もう一つは、エキスパートの性向を評価するための質問である（以下、性向評価質問）。
可能性質問は、ユーザーから送信された要望業務情報をチェックした仲介者が、要望業務を遂行するための条件として何か必要かを検討し、その条件を満足しているかどうかを尋ねる質問である。社会保険労務士を例にして説明すると、紹介依頼をしてきたユーザーがある程度の規模の会社であり、要望業務が労働保険の加入、申告手続きであるとすると、仲介者は、電子申請及び電子納付が可能な態勢を有しているが必須条件であると判断する。この場合、仲介者は、「電子申請及び電子納付が可能な態勢ですか？」という要望対応質問を設定する。また、仲介者は、「現在、労働保険業務を受任している依頼先の会社で最も従業員数の多い会社の従業員数は何名ですか？」というような質問を必要に応じて設定する。
【００３１】
このように、可能性評価質問は、要望業務を遂行可能性に関連した質問ではあるものの、「○○業務が可能ですか？」というように直接的に尋ねるのではなく、仲介者が、同じくエキスパートとしての立場から、要望業務を遂行するに際して必要な条件を検討し、その条件を満たしているかどうかについて客観的な事実を尋ねるものである。
また、性向評価質問は、要望業務の遂行可能性には直接的には関連しないものの、ユーザーが知りたいと思われるエキスパートの性格、傾向、タイプ等を評価するための質問である。例えば、「ユーザーは素人であるのであまり詳しい情報を知らせても仕方ないと考えますか、それとも、ユーザーが全てを理解できなくても出来る限り詳しい情報を提供すべきと考えますか？」といった質問が考えられる。また、各種士業のようにユーザーと行政機関の間に立って業務を行うエキスパートの場合、行政機関との向き合い方についての質問がされることもある。例えば、「ユーザーにとって有益でも行政機関にとって迷惑がかかるようなやり方は控えるべきと考えますか、それともユーザーにとって有益であれば行政機関にとって多少迷惑がかかっても仕方がないと考えて実行しますか？」といった質問である。
【００３２】
このような各要望対応質問は、仲介者端末２で入力され、質問記録プログラム１０３により質問情報ファイル１３に記録される。サーバ１は、各質問の入力用及び質問記録プログラム起動用のページ（以下、質問入力ページ）を用意している。この実施形態では、サーバ１には、紹介依頼情報が登録された際に仲介者端末２に対して自動的に電子メールを送信して要望対応質問の入力を要請するプログラム（以下、質問入力要請プログラム）１０５が実装されている。図５に示すように、質問入力要請プログラム１０５は、紹介依頼情報登録プログラム１０１のサブルーチンとして実行される。最後に質問入力要請プログラム１０５を実行すると、紹介依頼情報登録プログラム１０１は終了である。
【００３３】
図１０は、質問入力要請プログラム１０５により送信される仲介者端末２に送信される電子メール（以下、質問入力要請メール）の一例を示した概略図である。図１０に示すように、質問入力要請メールには、当該仲介者が担当するエキスパート種別において新規の紹介依頼があり、要望対応質問の検討、入力をして欲しい旨のテキストが記載される。そして、「要質問入力ページへのリンク」と標記されたハイパーリンク７７が組み込まれており、このハイパーリンク７７は、質問入力ページにリンクしている（以下、質問入力ページリンク）。尚、質問入力ページリンク７７には、紹介依頼ＩＤが引数として組み込まれている。
【００３４】
図１１は、質問入力ページの一例について示した概略図である。図１１に示すように、質問入力ページは、あるユーザーから送信された紹介依頼情報が表示されるようになっている。そして、紹介依頼情報を表示した箇所の下側には、要望対応質問を入力する欄７８，７９が設けられている。この実施形態では、可能性評価質問の入力欄７８と性向評価質問の入力欄７９とが分かれている。各欄７８，７９には、質問内容を入力するテキストボックス（以下、質問入力ボックス）と、回答のデータ型を設定するラジオボタン（以下、型設定ボタン）とが設けられている。さらに、各欄には「質問を増やす」と表記されたボタン（以下、質問追加ボタン）８０が設けられている。質問追加ボタン８０がクリックされると、質問入力ボックスと型設定ボタンの組みが追加されて表示される。
また、質問入力ページには、入力内容確認ボタンが設けられており、これがクリックされると、入力内容確認ページが表示され、そこに設けられている送信ボタンがクリックされると、質問記録プログラム１０３が実行されるようになっている。尚、送信ボタンには、質問入力ページを開く際に渡された紹介依頼ＩＤが組み込まれており、質問記録プログラム１０３に対してさらに引数として渡すようプログラミングされている。
【００３５】
質問記録プログラム１０３は、各質問を質問情報ファイル１３の各レコードに記録する。即ち、渡された紹介依頼ＩＤに従って、当該紹介依頼ＩＤに対応するファイル名の質問情報ファイル１３を開く。そして、質問情報ファイル１３において新規レコードを追加し、可能性評価質問の欄の一番上の行の質問入力ボックスの内容を「質問内容」の欄に記録する。そして、「質問種別」には、可能性評価質問である旨の情報を記録する。また、「回答データ型」には、型設定ボタンでの設定に応じた情報を記録する。次の行に入力がある場合、質問記録プログラム１０３は、質問情報ファイル１３に新規レコードを追加し、同様に各フィールドを記録する。性向評価質問の欄に入力された質問についても、「質問種別」のフィールドに性向評価質問である旨の情報が記録される点を除いて同様であり、新規レコードを追加して各フィールドに入力情報を記録する。
【００３６】
一方、サーバ１には、入力された各質問に対して各エキスパートに回答させるためのページ（以下回答ページ）を作成する回答ページ作成プログラム１０６が実装されている。回答ページ作成プログラム１０６は、質問記録プログラム１０３のサブルーチンとして実行されるようになっている。質問記録プログラム１０３は、上記のように各要望対応質問を質問情報ファイル１３に記録した後、回答ページ作成プログラム１０６を呼び出して実行すると終了である。尚、回答ページ作成プログラム１０６を呼び出して実行する際も、紹介依頼ＩＤを引数として渡すようプログラミングされている。
【００３７】
図１２は、回答ページ作成プログラム１０６により作成された回答ページの一例を示した概略図である。図１２に示すように、回答ページには、紹介依頼情報に加え、各要望対応質問が表示されるようになっている。そして、各要望対応質問には、回答欄８１が設けられている。回答欄８１は、回答データ型に応じたものとなっており、テキスト型ならテキストボックス、YesNo型なら「はい」、「いいえ」のいずれかを選択するラジオボタン、数値型なら数値を入力するボックスとされる。
また、サーバ１には、回答要請プログラム１０７が実装されている。回答要請プログラム１０７は、回答ページ作成プログラム１０６のサブルーチンとして実行されるようになっている。上記のように回答ページを作成した後、回答要請プログラム１０７を実行すると、回答ページ作成プログラム１０６は終了である。
【００３８】
回答要請プログラム１０７は、各要望対応質問への回答を記録する回答情報ファイル１４を新規作成して記憶部１０に記憶するとともに紹介依頼情報で特定される種別の各エキスパートに対して要望対応質問への回答を要請するメール（以下、回答要請メール）を送信するプログラムである。
図１３は、回答情報ファイル１４の構造の一例を示した概略図である。回答情報ファイル１４も、紹介依頼ＩＤを利用した所定のパターンのファイル名とされる。例えば同様に紹介依頼ＩＤがIR20150001であれば、回答情報ファイル１４は、IR2015001A.dbf（末尾にAを付加し、識別子を.dbfとしたファイル名）とされる。
【００３９】
図１３に示すように、回答情報ファイル１４は、「エキスパートＩＤ」、「回答１」、「回答２」、回答３」、・・・という各フィールドから成るレコードを回答エキスパート数の分だけ記録したデータベースファイルである。「回答１」は、対応する質問ファイルの一番目の質問（上記の例では、IR201001Q1の質問）に対する回答を記録したフィールドである。同様に、「回答２」は、対応する質問ファイルの二番目の質問（上記の例では、IR201001Q2の質問）に対する回答を記録したフィールドである。「回答１」は、対応する質問ファイルの一番目の質問（上記の例では、IR201001Q1の質問）に対する回答内容を記録したフィールドである。
【００４０】
回答要請プログラム１０７は、図１３に示すような回答情報ファイル１４を新規作成して記憶部１０に記憶した後（この時点ではレコード数はゼロ）、回答要請メールを自動生成して送信する。この際、回答要請プログラム１０７は、回答要請メール中に回答ページへのハイパーリンクを埋め込み、回答ページにアクセスして質問に答えるよう要請するメール文とする。
図１４は、回答要請メールの一例を示した概略図である。図１４に示すように、回答要請メールには、回答ページへのハイパーリンク（以下、回答ページリンク）８２が組み込まれている。サーバ１には、エキスパート端末４に回答ページを表示するプログラム（以下、回答ページ表示プログラム）１０８が実装されており、回答ページリンク８２は、回答ページ表示プログラム１０８の起動ボタンとなっている。
【００４１】
回答要請プログラム１０７は、紹介依頼ＩＤを検索キーにして紹介依頼情報ファイル１１を検索し、該当するレコードの「種別ＩＤ」のフィールドの値を取得する。次に、取得された値を検索キーにしてエキスパート定型情報ファイル１２を検索し、該当する全てのレコードの「エキスパートＩＤ」及び「電子メールアドレス」の値を取得する。そして、紹介依頼ＩＤ及びエキスパートＩＤを引数として組み込んだ状態で回答ページリンク８２を生成し、定型のメールフォームに組み込みことで回答要請メールを作成する。そして、作成した回答要請メールを、取得した各エキスパートの電子メールアドレス宛に送信する。これで、回答要請プログラム１０７は終了である。
【００４２】
図１２に示すように、回答ページには、入力内容確認ボタンが設けられており、入力内容確認ボタンにリンクしている入力内容確認ページには、回答送信ボタンが設けられている。回答送信ボタンは、回答記録プログラム１０４の起動ボタンとなっている。回答ページ表示プログラム１０６は、回答送信ボタンに紹介依頼ＩＤ及びエキスパートＩＤを埋め込んだ状態で回答ページを生成してエキスパート端末４に表示するようプログラミングされている。即ち、紹介依頼ＩＤ及びエキスパートＩＤを引数として回答記録プログラム１０４が起動されるようになっている。
回答記録プログラム１０４は、引数として渡された紹介依頼ＩＤに従って対応する回答情報ファイル１４（上記例では“IR2015001A.dbf”）を開く。そして、新規レコードを追加し、「エキスパートＩＤ」のフィールドに、渡されたエキスパートＩＤを記録し、回答ページで入力された各回答内容を、「回答１」、「回答２」、・・・の各フィールドに記録する。
【００４３】
尚、回答ページ及び回答記録プログラム１０４で重要な点は、回答ページがエキスパート端末４に送信されてから回答するまで（回答送信ボタンがクリックされるまで）の制限時間が設定されている点である。回答ページ表示プログラム１０８は、回答ページのＨＴＭＬファイルをエキスパート端末４に送信してエキスパート端末４に表示させた際、タイマーのカウントをスタートさせる。そして、回答送信ボタンがクリックされた（回答記録プログラム１０４が起動したか）をモニタする状態になる。回答ページ表示プログラム１０８は、制限時間内に回答送信ボタンがクリックされない場合、回答送信ボタンを無効化し（即ち、回答送信ボタンをクリックしても回答記録プログラムが起動しないようにし）、「制限時間内に回答送信がされなかったため、回答はできなくなります。ご了承下さい。」というようなエラーメッセージを回答ページに組み込んでエキスパート端末４に表示させるようプログラミングされている。制限時間については、例えば質問数×５秒というように設定される。
【００４４】
このようにして各エキスパート端末４から送信されて回答情報ファイル１４に記録された回答内容は、依頼をしたユーザーにおいて適宜参照され、エキスパート選定に利用される。以下、この点について説明する。
図２に示すように、サーバ１には、告知プログラム１０９が実装されている。告知プログラム１０９は、エキスパート選定用の参照情報の送信準備が完了した旨をユーザーに告知するメール（以下、告知メール）を送信するプログラムである。
図１５は、告知プログラム１０９の概略を示したフローチャートである。告知プログラム１０９は、例えば１日１回というように定期的に自動実行される。図１５に示すように、参照情報送信準備プログラムは、紹介依頼情報ファイル１１を開き、各レコードについて、「告知メール送信有無」のフィールドの値をチェックする。「告知メール送信有無」のフィールドのデフォルト値は偽値（送信無し）である。
【００４５】
告知プログラム１０９は、「告知メール送信有無」のフィールドの値が偽値であり、且つ、「回答要請日時」のフィールドの値（回答要請メールを送信した日時）から所定の回答収集期間（例えば一週間）が経過しているレコードについて、紹介依頼ＩＤを取得し、紹介依頼ＩＤに対応する回答情報ファイル１４のレコード件数を取得する。そして、レコード件数が二つ以上である場合、告知メールを自動作成し、告知メールを送信する。そして、紹介依頼情報ファイル１１の「告知メール送信有無」のフィールドに「有り」の旨の情報を記録する。レコード件数が一つ以下であった場合、告知プログラム１０９は、紹介できるエキスパートが登録されていなかった旨の謝罪メールを送信する。いずれのメールについても、紹介依頼ＩＤを検索キーにして紹介依頼情報ファイル１１を検索し、該当するレコードの「電子メールアドレス」の値を取得して送信する。このような処理を紹介依頼情報ファイル１１の全てのレコードについて行うと、告知プログラム１０９は終了である。
【００４６】
告知メールについては図示を省略するが、エキスパート選定用の参照情報の準備が終了したのでサイトにアクセスして欲しい旨のテキストが記載されており、参照情報ページをユーザー端末３に表示するためのハイパーリンク（以下、参照情報ページリンク）が組み込まれている。サーバ１には、参照情報を表示するページを生成してユーザー端末に送信するプログラム（参照情報ページ送信プログラム）１１０が実装されている。参照情報ページリンクは、紹介依頼ＩＤを引数にして参照情報ページ送信プログラム１１０を実行するものとなっている。
【００４７】
図１６は、参照情報ページの一例について示した概略図である。図１６に示すように、参照情報ページは、当該ユーザーが送信した紹介依頼情報を表示した欄に加え、当該紹介依頼情報について仲介者が設定した各要望対応質問の内容、及び各要望対応質問に対する各エキスパートの回答が表示されるようになっている。回答は、エキスパート毎に表示される。尚、各エキスパートの名前を表示した箇所の横には、それぞれ「詳細」と表示されたボタン（以下、詳細表示ボタン）８３が設けられている。詳細表示ボタン８３をクリックすると、当該エキスパートの定型情報（エキスパート定型情報ファイル１２の内容）が表示されるようになっている。
【００４８】
参照情報ページ送信プログラム１１０は、参照情報ページリンクに含まれる紹介依頼ＩＤを検索キーにして紹介依頼情報ファイル１１を検索し、該当するレコードの情報を取得して参照情報ページに確認のため組み込む。また、紹介依頼ＩＤに対応する質問情報ファイル１３を開いて各要望対応質問を取得する。そして、対応する回答情報ファイル１４を開き、各レコードの情報を各要望対応質問とともに図１６に示すように組み込み、参照情報ページを作成する。そして、作成した参照情報ページをユーザー端末に送信し、ユーザー端末のブラウザの機能によりユーザー端末に表示させる。これで、参照情報ページ送信プログラム１１０は終了である。尚、図１６では、各質問及び各回答がページの縦方向に並んでおり、各エキスパートの情報が横方向に並んでいるが、これが逆になって表示される場合もある。
【００４９】
以上の構成に係る実施形態のエキスパート紹介システムの全体の動作について、以下にまとめて説明する。
紹介されることを欲する各エキスパートは、トップページのエキスパートページボタン７６をクリックし、エキスパート登録ページをエキスパート端末４に表示し、各情報を入力してサーバ１に送信する。サーバ１は、送信された各情報をエキスパート定型情報ファイル１２に記録する。
サービス事業者の担当者は、このサイトで紹介するとしている各エキスパート種別について、仲介者を決め、予め仲介者に業務を依頼しておく。この実施形態では、仲介者は、担当するエキスパート種別と同種のエキスパートであり、平均以上の知識と経験を有する者である。担当者は、各仲介者の情報を管理用端末５を使用して仲介者情報ファイル１５に記録しておく。
【００５０】
ある特定の業務についてエキスパートを必要するユーザーは、ユーザー端末３上で紹介サイトを閲覧する。そして、紹介依頼ボタン７１をクリックし、紹介依頼ページにおいて各情報を入力する。そして、入力内容確認ページで送信ボタンをクリックし、各情報をサーバ１に送信する。サーバ１上では、紹介依頼情報登録プログラム１０１が動作し、紹介依頼情報ファイル１１に情報が記録される。
その後、紹介依頼情報登録プログラム１０１は、質問情報ファイル１３を新たに作成するとともに、サブルーチンとして質問入力要請プログラム１０５を実行する。この結果、当該エキスパート種別を担当する仲介者の仲介者端末２に質問入力要請メールが送信される。仲介者は、質問入力要請メールを仲介者端末２上で表示し、メールに含まれる質問入力ページリンク７７をクリックする。この結果、仲介者端末２上に質問入力ページが表示される。
【００５１】
仲介者は、質問入力ページ内に表示される紹介依頼情報をチェックし、可能性評価質問や性向評価質問を検討する。そして、適切と思われる各要望対応質問を質問入力ページで入力し、入力内容確認ページで送信ボタンをクリックしてサーバ１に送信する。サーバ１では、質問記録プログラム１０３が動作し、送信された質問を質問情報ファイル１３に記録する。その後、質問記録プログラム１０３は、サブルーチンとして回答ページ作成プログラム１０６を実行する。
回答ページ作成プログラム１０６は、質問情報ファイル１３に記録された各要望対応質問を組み込んだ状態で回答ページを作成する。そして、そのサブルーチンとして回答要請プログラム１０７を実行する。回答要請プログラム１０７は、紹介依頼されたエキスパート種別のエキスパートが操作する各エキスパート端末４に回答要請メールを送信する。
【００５２】
各エキスパート端末４は回答要請メールを受信し、各エキスパートは回答要請メールを見る。そして、回答要請メールに含まれる回答ページリンク８２をクリックし、回答ページをエキスパート端末４に表示する。
各エキスパートは、回答ページを見ながら各要望対応質問に対して回答を入力する。そして、入力内容確認ページで送信ボタンをクリックし、各回答をサーバ１に送信する。サーバ１上では、回答記録プログラム１０４が動作し、回答を回答情報ファイル１４に記録する。
【００５３】
一方、サーバ１上の告知プログラム１０９は、１日一回というように定期的に動作し、紹介依頼情報ファイル１１を開く。そして、告知メール送信がされておらず、且つ回答要請メール送信から回答収集期間（例えば一週間）を過ぎているレコード（紹介依頼）があるかどうか判断する。あれば、当該紹介依頼に対応する回答情報ファイル１４を開き、レコードが２件以上あるかどうか判断する。２件あれば、当該紹介依頼をしてきたユーザー端末３に告知メールを送信する。レコードが１件以下であれば、謝罪メールを送信する。
告知メールが送信されたユーザーは、告知メールに含まれる参照ページリンクをクリックし、参照ページをユーザー端末３上に表示する。そして、各エキスパートの定型情報や、要望対応質問に対する回答を参照し、自らの判断にてエキスパートを決定する。その後、ユーザーは、エキスパート定型情報に含まれる連絡先に従ってエキスパートと連絡を取り、より詳細な要望業務の伝達、見積書の作成依頼、作成された見積書における見積金額の確認等を経て、正式にエキスパートに業務を依頼する。
【００５４】
上記構成及び動作に係る実施形態のエキスパート紹介システムによれば、ユーザーがエキスパートを探す際、要望業務等を入力して紹介依頼情報を送信すると、探しているエキスパートの種別において平均以上の専門家である仲介者が要望対応質問を設定してその回答とともに候補の各エキスパートの情報を参照できる。このため、より適切にエキスパートの選定を行うことができる。
この際、要望対応質問には、同じ専門家の立場で設定された可能性評価質問が含まれるので、ユーザーは可能性評価質問への回答状況を見ながら各エキスパートの業務遂行可能性を自ら評価し、それを踏まえて最適なエキスパートを選定することができる。ユーザーが自ら可能性評価質問を設定することも不可能ではないが、要望業務の遂行可能性に関してどのような点がポイントになるか不明なため、何をどのように質問して良いかわからない場合が多い。このため、適切な可能性評価質問の設定ができないことが多い。実施形態のシステムではこのような問題はなく、同様の専門家の立場から適切に設定された質問への回答を見ながら最適なエキスパートを選定できる。
また、実施形態のシステムでは、要望対応質問に性向評価質問が含まれるので、ユーザーは、自分又は自社に合うタイプのエキスパートであるかを評価することができ、その評価結果を踏まえてエキスパートを選定することができる。このため、さらに適切なエキスパートの選定が行える。尚、性向評価質問は、性格テストや心理テストのような質問とされる場合もあり得る。
【００５５】
尚、この実施形態のシステムは、上記の通り複数のエキスパートの情報を参照情報としてユーザーに提供するのみで、最終的に一人のエキスパートをシステムが決定してユーザーに紹介するものではない。この点は、システムの利用料の課金との関係において意義を有する。即ち、システムの利用料の課金については、ユーザー側に課金する場合とエキスパート側に課金する場合の二通りがあり得る。ユーザー側に課金する場合、ユーザーは、選定したエキスパートに対しても業務の報酬を支払うから、さらにシステムの利用料金も負担するということになる。この結果、ユーザーは、負担が大きいと感じてシステムの利用をためらってしまうことになり易い。このため、エキスパート側に課金する方がベターである。選定されたエキスパートは、業務の報酬を受け取るから、選定されたエキスパートに対してコミッション的に課金をすることが想定される。この場合、システムが最終的に一人のエキスパートをユーザーに紹介するものであると、ユーザー側から見ると、紹介するエキスパートからコミッションを受け取っていることになるので、紹介が公平な観点から行われているか疑念が生じてしまう。場合によっては、より高いコミッションが支払われるエキスパートを紹介しているのではないか、とも思ってしまう。
【００５６】
実施形態のシステムは、上記の点を考慮し、最終的に一人のエキスパートを紹介するのではなく、複数のエキスパートを紹介して要望対応質問に対する各回答を参照情報を示しつつ各エキスパートの定型情報（連絡先等）を提供している。そして、これらの情報からユーザーが最終的に一人のエキスパートを選定するものとなっている。サービス事業者は、選定された一人のエキスパートから料金を徴収するものの、そのエキスパートに決めたのはユーザーであるため、特に不公平な印象が生じることはない。
但し、上記実施形態において、一人のみのエキスパートから要望対応質問に対する回答が生じされた場合であっても、告知プログラム１０９がユーザー端末３に告知メールを送信するよう構成されることがあり得る。この場合、要望対応質問についての回答は一人のエキスパートのみとし、他のエキスパートについては定型情報のみがユーザーに提供される形とされる。
【００５７】
また、上記実施形態において、回答ページ表示プログラムは、回答ページのＨＴＭＬファイルがエキスパート端末４に送信されて表示されてからタイマーをカウントし、制限時間以内に回答が送信されない限り回答を回答情報ファイル１４に記録しない（回答記録プログラム１０４を実行しない）構成となっている。この構成は、各エキスパートによる回答の信頼性、客観性を確保するための構成となっている。要望対応質問のうち、可能性評価質問は、その時点でのエキスパートの知識、能力を客観的に評価する質問であるから、質問に対しては、特に調べたり人に訊いたりすることなくその場で答えられなければならない。弁護士を例にして説明すると、ある要望業務を遂行するのに当然にある法律事項を知得している必要があるとする。この場合、要望対応質問には当該法律事項についての質問をすることになるが、その質問に対してすぐに答えることができず、調べてから答えるようであったり、人に訊いてから答えたりするようでは、エキスパートとしては相応しくないことは明らかである。このため、質問に対してすぐに答えられるかどうかを見極めるため、制限時間を設定し、制限時間を超えた場合には回答があったとは扱わないようにしている。
この点は、性向評価質問についても同様の面がある。ある性向評価質問についてある程度長い回答時間が与えられていると、意図的に自分の性向とは異なる回答もできることになり、エキスパートの性向を反映しない回答が送信されることになり易い。このため、回答時間を短く制限することが望ましい。上記回答ページ表示プログラム１０６の構成は、このような要請を満足する意義がある。
【００５８】
また、図１２に示すように、各エキスパート端末４上に表示される回答ページでは、紹介依頼情報を送信したユーザーの情報（会社名、担当者名、電話番号等）は表示されないようになっている。これは、エキスパートがユーザーに直接連絡を取ってしまうことを避けるためである。ユーザーの連絡先等の情報がわかってしまうと、エキスパートが直接ユーザーに連絡を取って営業活動（売り込み）を行ってしまう可能性があり、ユーザーが迷惑をすることもあり得るからである。
【００５９】
上記実施形態のシステムにおいて、ユーザーに提供される参照ページの内容としては、仲介者によるコメントや各エキスパートのランキング等が含まれていても良い。具体的には、告知プログラム１０９は、回答収期間が経過しており且つ回答情報ファイル１４のレコード件数が２以上である紹介依頼ＩＤについて参照情報ページを作成した場合、まず、仲介者に対して告知メールを送信するとともに、仲介者用参照情報ページを別途作成しておく。仲介者宛の告知メールには、各エキスパートから回答がされたので内容を参照してコメントを記載して欲しい旨のテキストが記載されており、仲介者用参照情報ページのリンクが組み込まれる。仲介者用参照情報ページにはコメントの記載欄（テキストボックス）が設けられており、仲介者は、各エキスパートの回答結果を見ながらコメントを入力し、送信ボタンをクリックする。紹介依頼情報ファイル１１には、「仲介者コメント」のフィールドが設けられており、送信ボタンには、入力されたコメントをこのフィールドに記録するプログラムが埋め込まれる。そして、参照情報ページ送信プログラム１１０は、このコメントを紹介依頼情報ファイル１１から読み込んで参照情報ページに組み込んでユーザー端末に送信するようプログラミングされる。
【００６０】
また、仲介者は、各エキスパートによる要望対応質問への回答状況を見ながら各エキスパートのランキングを決定することもでき、このランキング情報を参照情報ページに含めることもできる。具体的には、回答情報ファイル１４には、「ランキング」のフィールドが設けられる。そして、仲介者用参照情報ページにはランキングの入力欄が設けられ、ここで入力されたランキングが回答情報ファイル１４の「ランキング」のフィールドに記録される。そして、参照情報ページ送信プログラム１１０は、参照情報ページを生成してユーザー端末に送信する際、各エキスパートの回答内容の表示欄に併せて当該エキスパートのランキング情報も表示するようにする。尚、同様のやり方にて、各エキスパートに対する仲介者による評価（コメント）をテキストにて表示することも可能である。
このように仲介者による各エキスパートのランキング情報や評価情報が併せて参照情報ページに表示されると、ユーザーにとってはさらに適切にエキスパートの選定が行えることになるので、好適である。
【００６１】
また、参照ページにおいて、他のユーザーによる評価情報が表示されるようにすることも可能である。具体的に説明すると、上記のように本システムによりエキスパートが紹介された場合、紹介後、システムからユーザーによる評価情報の入力要請のメールがユーザー端末３に送信される。サーバ１上には、ユーザーによる評価情報の入力ページが用意されており、ユーザーはユーザー端末３にこのページを表示して評価情報を入力する。記憶部１０には、エキスパート毎にユーザーの評価情報を記録するエキスパート評価情報ファイルが記憶され、入力された評価情報はこのファイルに記録される。図１６に示す参照ページにおいて、各エキスパートの表示欄（例えば氏名を表示した欄の横）には、「他のユーザーによる評価情報を見る」と表記されたコマンドボタンが設けられ、このボタンに、エキスパート評価情報ファイルの内容を表示するプログラムの起動コマンドが埋め込まれる。ユーザーによる評価情報としては、当該エキスパートに業務を依頼して良かったとか悪かったとか、エキスパートの印象とかの情報が含まれる。顧問のような継続的に業務を依頼するようなエキスパートの場合、依頼が継続しているか取りやめたたかの情報が含まれる場合もある。いずれにしても、このように他のユーザーによる評価情報が参照ページに表示されると、その情報も参考にしてエキスパートの選定が行えるので、さらに適切な選定が行える。
【００６２】
尚、性向評価質問については、ユーザー自らが設定することもできる。具体的には、紹介依頼ページにおいて、ユーザー自身が設定する性向評価質問の入力欄を設ける。紹介依頼情報登録プログラム１０１が質問情報ファイル１３を新規に作成した際、入力された性向評価質問が最初のレコードに記録される。尚、質問情報ファイル１３には、「質問者種別」のフィールドが設けられ、ここには、ユーザーが設定した質問か仲介者が設定した質問かを判別する情報が記録される。このように記録されたユーザー設定の性向評価質問は、仲介者設定の他の質問とともに各エキスパート端末４に送信され、その回答内容が同様に参照情報ページに組み込まれてユーザー端末３に表示される。
上記構成の場合、ユーザーが任意の性向評価質問を設定できるので、自分又は自社に合うタイプのエキスパートか否かをよりキメ細かく評価することができ、この点でさらに適切にエキスパートの選定が行えるシステムとなる。尚、性向評価質問としてどのような質問をして良いかをユーザーにおいて判然としない場合もあるので、幾つかの典型的又は代表的な質問をひな形としてリストアップしておき、プルダウンリスト等で選んで入力するようにしても良い。
【００６３】
また、上記実施形態では、紹介依頼情報に含まれるエキスパート種別と一致する種別のエキスパートすべてに回答要請メールが送信され、回答を送信したすべてのエキスパートの情報が参照情報ページに表示されたが、ある程度絞り込みを行って回答要請メールを送信するようにしても良い。具体的には、回答要請プログラムにおいて、エキスパート種別に加えて別の検索キーでエキスパート定型情報ファイル１２を検索するようにする。例えば、紹介依頼ページにおいて、要望場所情報入力欄を設ける。要望場所情報入力欄は、業務提供をして欲しい場所の情報を入力する欄である。そして、回答要請プログラムは、要望場所情報で入力された情報を検索キーに追加してエキスパート定型情報ファイル１２を検索し、ヒットしたレコードの「電子メールアドレス」を取得して同様に回答要請メールを取得する。登録されているエキスパートの数が多く、回答を送信するエキスパートの数が非常に多くなってしまう場合、参照情報ページに大量の情報が掲載されてしまうことになるので、このように予め絞り込みをして回答させる構成が好適である。絞り込みについては、場所情報の他、エキスパートとしての経験年数であったり、性別であったり、年齢であったりする場合がある。これら経験年数、性別、年齢等の情報は、エキスパート登録の際に予め各エキスパートに入力してもらい、エキスパート定型情報ファイル１２に記録しておく。
【００６４】
上記実施形態において、紹介サイトは異なる複数のエキスパート種別から任意の種別のエキスパートを紹介するものであったが、本願発明の実施に際しては、一つの種別のみのエキスパートを紹介するものであっても良い。例えば、社会保険労務士のみを紹介するものであっても良い。単一の種別のエキスパートを紹介する種別である場合、紹介依頼ページには種別入力欄は設けられず、エキスパート定型情報ファイル１２には、「エキスパート種別ＩＤ」のフィールドは設けられない。
尚、複数のエキスパート種別を扱うシステムとする場合、上記のようにエキスパート定型情報ファイル１２において種別を識別するフィールドを設けて複数の種別のエキスパートを一括して登録する場合の他、エキスパート種別毎にエキスパート定型情報ファイルを設ける場合もあり得る。
【００６５】
また、上記実施形態において、サーバ１は単一のサーバコンピュータであるように説明したが、複数のサーバである場合もある。例えば、各ページ提供用のサーバ（ウェブサーバ）と、データ処理用のサーバ（データベースサーバ）とを別々に設けても良く、情報の記録や読み出しを行うストレージサーバを別に設けても良い。クラウドコンピューティングのように、複数のサーバが仮想的に一つのサーバを構成している場合もある。
また、サーバ１はメールサーバに兼用される場合もあり、この場合には、前述した質問入力要請メール等のメールはサーバ１から受信側のメールサーバ経由で各端末２，３，４に送信される。サーバ１がメールサーバに兼用されない場合、システムは、別のメールサーバに対してアカウントを保有し、このメールサーバを介して受信側のメールサーバ経由で送信される。
【００６６】
尚、上記実施形態では、紹介サイトは会社用のサイトであるとしたが、本願発明のシステムは家庭用として構成されることも可能であり、サーバ１が家庭用のエキスパートを紹介するサイトを提供するものとして構成されることもあり得る。この場合、エキスパートとしては、医療サービスや介護サービスといった健康、福祉関係のサービスを提供するエキスパートであったり、車やマイホームといった高額商品の購入の際のアドバイスをするエキスパートであったりし得る。この他、進学、就職、結婚といった生活上の重要事項についてアドバイスをするエキスパートを紹介するものとしてシステムが構成されることもあり得る。
【符号の説明】
【００６７】
１  サーバ
１００  イントラネット
１０１  紹介依頼情報登録プログラム
１０２  エキスパート登録プログラム
１０３  質問記録プログラム
１０４  回答記録プログラム
１１  紹介依頼情報ファイル
１２  エキスパート定型情報ファイル
１３  質問情報ファイル
１４  回答情報ファイル
２  仲介者端末
３  ユーザー端末
４  エキスパート端末
５  管理用端末
６  インターネット
【要約】
【課題】  ユーザーが、依頼業務をエキスパートが遂行できるか見極めたり、エキスパートの性格や傾向等の点も含めて自身にとって最適かどうかユーザーが判断したりできるようにする。
【解決手段】  ユーザー端末３から送信された紹介依頼情報は、サーバ１により紹介依頼情報ファイル１１に記録される。サーバ１から質問入力要請メールが送信された仲介者は、仲介者端末２上に質問入力ページを表示して要望対応質問を入力する。要望対応質問には、要望業務の遂行可能性を評価する質問及びエキスパートの性向を評価する質問が含まれる。各エキスパート端末４には回答要請メールが送信され、各エキスパートは回答ページで要望対応質問についての回答を入力してサーバ１に送信する。サーバ１から告知メールが送信されたユーザーは、要望対応質問に対する回答を参照ページで確認し、候補の中からエキスパートを選定する。
【選択図】  図１【図１】
0005923208.tif 000002
【図２】
0005923208.tif 000003
【図３】
0005923208.tif 000004
【図４】
0005923208.tif 000005
【図５】
0005923208.tif 000006
【図６】
0005923208.tif 000007
【図７】
0005923208.tif 000008
【図８】
0005923208.tif 000009
【図９】
0005923208.tif 000010
【図１０】
0005923208.tif 000011
【図１１】
0005923208.tif 000012
【図１２】
0005923208.tif 000013
【図１３】
0005923208.tif 000014
【図１４】
0005923208.tif 000015
【図１５】
0005923208.tif 000016
【図１６】
0005923208.tif 000017